(57)【特許請求の範囲】
【請求項１】
垂直部(10)の下端に水平部(12)が形成されてなる略Ｌ字型の背アーム(14)を取付ける方法において、
背アーム(14)の水平部(12)先端を回動係止させるための椅子の座(28)裏面の回動軸(38)に、
上方を開放させ、先端の両側面に係止溝(16)を外部に開口させて形成すると共に、水平面に短孔(18)を穿孔させた第１水平部(20)と、下方を開放させ、短孔対応位置の水平面に短孔(18)より長い長孔(22)を穿孔させた水平部本体(24)と、により構成してなる背アーム(14)の水平部(12)の係止溝(16)を、
回動自在に係止させると共に、
椅子の座(28)裏面に垂下させたロッキング調整ネジ(30)に、
背アーム(14)の水平部(12)の短孔(18)および長孔(22)を、
嵌入させながら背アーム(14)の水平部(12)を水平に位置させた後、
ロッキング調整ネジ(30)に、スプリング(32)を内装させたロッキング調整部材(34)を、螺着させることにより、背アーム(14)を取付けることを特徴とする椅子の背アーム取付方法。
【請求項２】
垂直部(10)の下端に水平部(12)が形成されてなる略Ｌ字型の背アーム(14)を取付ける構造において、
背アーム(14)の水平部(12)を、
上方を開放させ、先端の両側面に係止溝(16)を外部に開口させて形成すると共に、水平面の長さ方向に沿わせて短孔(18)を穿孔させた第１水平部(20)と、
下方を開放させ、短孔対応位置の水平面に短孔(18)より長い長孔(22)を穿孔させた水平部本体(24)と、
により構成し、
椅子の座(28)裏面に垂下させたロッキング調整ネジ(30)に装着させると共に、背アーム(14)のロッキング力を調整するためのスプリング(32)を内装させたロッキング調整部材(34)が設けられ、
椅子の座(28)裏面に背アーム(14)の回動軸(38)が配設され、
てなり、
椅子の座(28)裏面の回動軸(38)に、背アーム(14)の水平部(12)の係止溝(16)を、回動自在に係止させると共に、椅子の座(28)裏面のロッキング調整ネジ(30)に、背アーム(14)の水平部(12)の短孔(18)および長孔(22)を、嵌入させながら水平部(12)を水平に位置させた後、ロッキング調整ネジ(30)に、ロッキング調整部材(34)を、螺着させることにより、背アーム(14)を取付けることを特徴とする椅子の背アーム取付構造。
【発明の詳細な説明】
【０００１】
【産業上の利用分野】
本発明は、椅子の座に背アームを取付ける方法およびその構造に関するものである。
【０００２】
【従来の技術】
従来、背当てを取付けるための背アームを椅子の座に取付ける方法としては以下の方法が知られている。
【０００３】
図６および図７に示すように、垂直部の下端に水平部が形成されてなる略Ｌ字型の背アームを、水平部の上下方向に貫通させた止着孔を、椅子の座裏面に配設された取付枠に垂下させたロッキング調整ネジに嵌入させた後、水平部の先端の水平方向に貫通させた通孔と、取付枠の水平方向に貫通させた回動軸用孔と、を合致させた後、両孔に回動ピンを挿着させた後、回動ピンが両孔から抜け出さないように、ナット、松葉ピン等の固定部材を介して回動ピンを固定した後、ロッキング調整ネジにスプリングを内装したロッキング調整部材を螺着させることにより、背アームを取付けていた。
【０００４】
また、略Ｌ字型の背アームの水平部を、座裏面の取付枠に、ボルト、ネジ等の止着具を介して止着させることにより、背アームを取付けていた。
【０００５】
前者においては背アームの後方への傾動が可能であり、後者においては背アームの後方への傾動が不可能である。
【０００６】
また、背アームは椅子の取付枠から取外した分解状態で、椅子の座、背当て、脚部と共に梱包して、コンテナ、トラック等の輸送手段に積載して輸送されている。
【０００７】
なお、図６および図７中、１０は垂直部、、１２は水平部、１４は背アーム、２８は椅子の座、３０はロッキング調整ネジ、３２はスプリング、３４はロッキング調整部材、３６は取付枠、４６は回動軸用孔、４８は通孔、５０は回動ピン、５２は止着孔、５４は固定部材を示す。
【０００８】
【発明が解決しようとする課題】
従来の背アームの取付方法および構造の前者においては、背が後方に傾動可能であるが、背アームの水平部の止着孔のロッキング調整ネジへの嵌入、背アームの水平部の水平移動、水平部先端の通孔と、座裏面の取付枠の回動軸用孔との合致、両孔への回動ピンの挿着、挿着後の回動ピンへの固定部材による固定、ロッキング調整ネジへのロッキング調整部材の装着、の各作業が必要となり、取付作業工程数が多く、取付作業が困難であることが問題となっていた。
【０００９】
また、背アームは座から取外した分解状態で梱包され、購入者へ配送されるため、椅子の購入者は自ら背アームを取付けなければならず、取付作業が困難であるため、取付けできないことが頻繁に発生し、購入者に多大な取付作業負担がかかることが問題となっていた。
【００１０】
本発明は、このような欠点に鑑み、椅子の背アーム取付けを容易に行うことができる椅子の背アーム取付方法およびその構造を提供することを目的とするものである。
【００１１】
【課題を解決するための手段】
本発明は、垂直部の下端に水平部が形成されてなる略Ｌ字型の背アームを取付ける方法および構造において、背アームの水平部先端を回動係止させるための椅子の座裏面の回動軸に、上方を開放させ、先端の両側面に係止溝を外部に開口させて形成すると共に、水平面に短孔を穿孔させた第１水平部と、下方を開放させ、短孔対応位置の水平面に短孔より長い長孔を穿孔させた水平部本体と、により構成してなる背アームの水平部の係止溝を、回動自在に係止させると共に、椅子の座裏面に垂下させたロッキング調整ネジに、背アームの水平部の短孔および長孔を、嵌入させながら背アームの水平部を水平に位置させた後、ロッキング調整ネジに、スプリングを内装させたロッキング調整部材を、螺着させることにより、背アームを取付けることを特徴とするものである。
【００１２】
【発明の実施の態様】
本発明で使用する椅子は、回転椅子であり、昇降機構を備えたものでもよく、備えていないものでもよい。
【００１３】
本発明に係る椅子の背アーム取付構造は、図１〜図５に示すように、以下の構成からなるものである。
【００１４】
垂直部１０の下端に水平部１２が形成されてなる略Ｌ字型の背アーム１４の水平部１２を、上方を開放させ、先端の両側面に係止溝１６を形成させると共に、水平面に短孔１８を穿孔させた第１水平部２０と、下方を開放させ、水平面に長孔２２を穿孔させた水平部本体２４と、により構成してある。
【００１５】
本例において、係止溝１６の形状は、後述の座２８裏面の取付枠３６に配設させた背アーム１４の回動軸３８に回動自在に係止できるように先端上方から内側下方に向けて傾斜させた形状としてあり、この係止溝１６の形状により、背アーム１４の取付時に背アーム１４をスムーズに案内し、背アーム１４の取付後に背アーム１４が回動軸３８に対して回動自在となる。
【００１６】
また、水平部１２を構成する第１水平部２０および水平部本体２４は断面コ字型の鋼製素材によりそれぞれ成形されると共に、第１水平部２０が水平部本体２４に外嵌するように構成され、第１水平部２０は上方が、水平部本体２４は下方が、それぞれ開放されている。
【００１７】
このように、水平部１２を第１水平部２０と水平部本体２４とにより構成することにより、係止溝１６、短孔１８、長孔２２の加工が容易となり、生産性を向上させることができる。
【００１８】
第１水平部２０の上方から水平部本体２４を、第１水平部２０の短孔１８の外側縁（図３において右側縁）と、水平部本体２４の長孔２２の外側縁とを対応させて固着させてある。
【００１９】
この短孔１８と長孔２２とにより背アーム１４の取付時の背アーム１４のガイドゾーン２６が正面略台形状に形成され、取付時に背アーム１４をロッキング調整ネジ３０に対してスムーズに案内し、取付後に背アーム１４を確実に支持することができる。
【００２０】
椅子の座２８裏面に垂下させたロッキング調整ネジ３０に装着させると共に、背アーム１４のロッキングを調整するためのスプリング３２を内装させたロッキング調整部材３４が設けられている。
【００２１】
椅子の座２８裏面の取付枠３６に、背アーム１４を後方へ回動自在に傾動させるための回動軸３８が、配設されている。
【００２２】
なお、図中４０は背、４２は支柱、４４は脚を示す。
【００２３】
本発明に係る背アーム取付方法を以下に説明する。
【００２４】
背アーム１４の水平部１２を構成する第１水平部２０の先端に形成された係止溝１６を、椅子の座２８裏面の取付枠３６の回動軸３８に、係止させる。
【００２５】
この際、第１水平部２０の先端上方から内側下方へ傾斜させた係止溝１６の形状により、係止溝１６を回動軸３８にスムーズに係止させることができる。
【００２６】
この係止溝１６の回動軸３８への係止と共に、座２８裏面のロッキング調整ネジ３０に、第１水平部２０の短孔１８、および水平部本体２４の長孔２２を嵌入させる。
【００２７】
この際、短孔１８と長孔２２とにより形成された正面略台形状のガイドゾーン２６が、取付時の背アーム１４をスムーズに案内する。
【００２８】
第１水平部２０および水平部本体２４とからなる水平部１２を、水平状態まで移動させる。
【００２９】
この際、第１水平部２０の短孔１８の内側縁（図３において左側縁）が、ロッキング調整ネジ３０に当接し、この当接点および第１水平部２０の係止溝１６と回動軸３８との係止点により、確実に位置固定され、このため水平部１２を含め背アーム１４の取付位置を確実に固定することができる。
【００３０】
ロッキング調整ネジ３０に、ロッキング調整部材３４を、螺着させる。
【００３１】
この際、ロッキング調整部材３４のロッキング調整ネジ３０へのねじ込み量を増減させることにより、ロッキング調整部材３４に内装されたスプリング３２の弾性力を増減させ、背アーム１４（背４０）のロッキング力を適宜調整する。
【００３２】
このようにして、背アーム１４を取付け、椅子を組立てる。
【００３３】
なお、本例において、背アーム１４の水平部１２は、第１水平部２０と水平部本体２４とにより構成されているが、第１水平部２０と水平部本体２４とを一体成形すること、また水平部１２を断面口型に形成することにより第１水平部２０と水平部本体２４とを一体とすることは自明である。
【００３４】
また、背アーム１４の水平部１２に形成された係止溝１６、短孔１８および長孔２２の形状は、水平部１２の厚さ（高さ）、回動軸３８とロッキング調整ネジ３０の位置、等により適宜変更使用することは自明である。
【００３５】
また、椅子の座２８裏面に取付枠３６が配設されているが、座２８と取付枠３６とを一体成形することにより、取付枠３６を省略することは自明である。
【００３６】
また、本例の椅子は回転椅子であるが、回転しない事務椅子であってもよく、椅子の種類は特に限定されない。
【００３７】
【発明の効果】
本発明に係る椅子の背アーム取付方法およびその構造によれば、背アームの水平部先端の係止溝を座裏面の回動軸に回動自在に係止させ、水平部の短孔および長孔をロッキング調整ネジに嵌入し、水平部を水平に位置させた後、ロッキング調整ネジにロッキング調整部材を螺着させることにより、背アームを取付けるため、従来行っていた回動軸を形成するピンの挿着、ピンの抜止、等の作業が皆無となり、購入者でも容易に組立てることができる。
【００３８】
また、背アームの取付けが容易であるため、購入者にかかる背アームの取付作業負担が激減し、購入意欲が増大し、椅子の消費量を激増させることができる。
【００３９】
また、背アームの水平部を、先端に係止溝を形成させ、水平部に短孔を形成させた第１水平部と、長孔を形成させた水平部本体と、により構成してあるため、係止溝、短孔、長孔の加工が容易となり、生産性を向上させることができる。
【図面の簡単な説明】
【図１】本発明に係る椅子の背アーム取付構造を示す要部拡大正面図。
【図２】背アームの水平部の組付工程を示す正面図。
【図３】同、平面図。
【図４】椅子の背アーム取付完了状態を示す要部拡大正面図。
【図５】本発明に係る背アームを取付けた椅子の全体を示す正面図。
【図６】従来の背アーム取付作業工程を示す裏側斜視図。
【図７】同、背アーム取付作業工程を示す裏側斜視図。
【符号の説明】
１０  垂直部
１２  水平部
１４  背アーム
１６  係止溝
１８  短孔
２０  第１水平部
２２  長孔
２４  水平部本体
２８  座
３０  ロッキング調整ネジ
３２  スプリング
３４  ロッキング調整部材
３６  取付枠
３８  回動軸
【図１】
0003550040.tif 000002
【図２】
0003550040.tif 000003
【図３】
0003550040.tif 000004
【図４】
0003550040.tif 000005
【図５】
0003550040.tif 000006
【図６】
0003550040.tif 000007
【図７】
0003550040.tif 000008